(57)【要約】【課題】コネクタ全体の部品点数を減らすことができ、コネクタ全体の小型化を可能とするとともに、単独でも使用可能なプリント配線基板用ピン型端子及び該ピン型端子を使用した押し当て式コネクタの提供。【解決手段】導電性材からなる筒部３と、筒部内に収容されたスプリング４と、筒部に摺動自在且つ導通した状態に支持され、スプリングにより付勢されて筒部の一端側より先端部を突出させた接触ピン５と、筒部をプリント配線基板上にプリント配線された接触端子部に電気的に接続させる接続部２２とを備え、接続部２２は、筒部の外周に、筒部の長手方向に並べて配置され、且つ筒部の長手方向と交差する同一の方向に突出した複数の接続用突部２３ａ，２３ｂを備え、接続用突部２３ａ，２３ｂの突出側端面を、半田を介して接触端子部２１ａに接続できる平行設置用接続面２４とする。【選択図】　　図１
2004055243.tif 000002
【特許請求の範囲】
【請求項１】
導電性材からなる筒部と、該筒部内に収容されたスプリングと、前記筒部に摺動自在且つ導通した状態に支持され、前記スプリングにより付勢されて前記筒部の一端側より先端部を突出させた接触ピンと、前記筒部をプリント配線基板上にプリント配線された接触端子部に電気的に接続させる接続部とを備えてなるプリント基板用ピン型端子において、
前記接続部は、前記筒部の外周に、筒部の長手方向に並べて配置され、且つ筒部の長手方向と交差する同一の方向に突出した複数の接続用突部を備え、該接続用突部の突出側端面を、半田を介して前記接触端子部に接続できる平行設置用接続面としたことを特徴としてなるプリント配線基板用ピン型端子。
【請求項２】
筒部の接触ピン突出側とは反対側の端部に形成された接続用突部の筒部長手方向側端面は、前記筒部の端面と同一平面上をなし、前記筒部の端面とともに半田を介してプリント配線基板の接触端子部に接続できる直立設置用接続面を構成するようにした請求項１に記載のプリント配線基板用ピン型端子。
【請求項３】
筒部は、その外周の接続用突部と反対側の位置に吸着用の平面を有する吸着部を備えた請求項１又は２に記載のプリント配線基板用ピン型端子。
【請求項４】
導電性材からなる筒部と、該筒部内に収容されたスプリングと、前記筒部に摺動自在且つ導通した状態に支持され、前記スプリングにより付勢されて前記筒部の一端側より先端部を突出させた接触ピンと、前記筒部の外周に、筒部の長手方向に並べて配置され、筒部の長手方向と交差する同一の方向に突出した複数の接続用突部を備え、該接続用突部の突出側端面を、半田を介して前記接触端子部に接続できる平行設置用接続面としてなるプリント配線基板用ピン型端子を、合成樹脂材よりなるコネクタハウジングに、前記平行設置用接続面が下方に露出した状態に並べて収容し、該コネクタハウジングの一面より前記接触ピンを突出させたことを特徴としてなる押し当て式コネクタ。
【請求項５】
コネクタハウジングは、上面に吸着用面を備えてなる請求項４に記載の押し当て式コネクタ。
【発明の詳細な説明】
【０００１】
【発明の属する技術分野】
本発明は、主に携帯電話機のバッテリー接続等に使用されるプリント配線基板用ピン型端子及び該ピン型端子を使用した押し当て式コネクタに関する。
【０００２】
【従来の技術】
従来、携帯電話機やその他の携帯電気機器は、機器を動作させる主電源として内部にバッテリーパックを内蔵し、このバッテリーパックと機器本体との電気的接続には、機器本体のプリント配線基板上に実装されたコネクタを介して行っており、このコネクタとして図１０、図１１に示す、ピン型端子を用いた押し当て式コネクタが知られている。
【０００３】
この押し当て式コネクタ１に用いるピン型端子２は、導電性材からなる筒部３と、筒部３内に収容されたスプリング４と、筒部３に摺動自在且つ導通した状態に保持され、スプリング４により付勢されて筒部３の一方の端部より先端部を突出させた接触ピン５と、筒部３の他方の端部に加締め等により接続されたターミナル片６からなる接続部とを備え、該ターミナル片６の接触部をプリント配線基板７上にプリント配線された接触端子部７ａに半田等により接続させることによりプリント配線基板７の回路と電気的に接続されるようになっている。
【０００４】
そして、押し当て式コネクタ１は、このピン型端子２を合成樹脂材からなる直方体状のコネクタハウジング８に、該コネクタハウジング８の一側面より接触ピン５，５…を突出させた状態に並べて収容し、コネクタハウジング８にピン型端子２，２…を支持させるようにしている。
【０００５】
この押し当て式コネクタ１は、コネクタハウジング８の一面より突出させた接触ピン５，５…にバッテリーパック等相手側の電極部９を押し当てることにより、バッテリーパック等とプリント配線基板７とを電気的に接続させるようになっている。
【０００６】
尚、図中符号１０，１０は、コネクタハウジング８をプリント配線基板７に取付ける為の固定用端子片であり、係る固定用端子片１０を電気的な接続を伴わずにプリント配線基板上の取付用パターン７ａに半田付けによって固着することで、コネクタハウジング８がプリント配線基板７に対し固定されるようになっている。
【０００７】
【発明が解決しようとする課題】
しかし、上述のような従来の技術では、ピン型端子を筒部の長手方向がプリント配線基板と平行となる向きに、単独でプリント配線基板に取り付けることは構造上できないので、ピン型端子以外にピン型端子を支持するコネクタハウジング、コネクタハウジングをプリント配線基板に固定する固定用端子片及び筒部をプリント配線基板上の回路と導通させるターミナル片等を備えることが必要となる。従って、このような押し当て式コネクタは、コネクタを構成する部品点数が多くなり、コネクタの組み立て作業の工程が増え、作業コストも嵩むとともに、固定用端子片及びターミナル片が場所をとるので小型化が困難であるという問題があった。
【０００８】
本発明は、このような従来の技術の状況を鑑み、コネクタ全体の部品点数を減らすことができ、コネクタ全体の小型化を可能とするとともに、単独でも使用可能なプリント配線基板用ピン型端子及び該ピン型端子を使用した押し当て式コネクタの提供を目的とする。
【０００９】
【課題を解決するための手段】
上述の如き従来の問題を解決し、所期の目的を達成するための請求項１の発明は、導電性材からなる筒部と、該筒部内に収容されたスプリングと、前記筒部に摺動自在且つ導通した状態に支持され、前記スプリングにより付勢されて前記筒部の一端側より先端部を突出させた接触ピンと、前記筒部をプリント配線基板上にプリント配線された接触端子部に電気的に接続させる接続部とを備えてなるプリント配線基板用ピン型端子において、前記接続部は、前記筒部の外周に、筒部の長手方向に並べて配置され、且つ筒部の長手方向と交差する同一の方向に突出した複数の接続用突部を備え、該接続用突部の突出側端面を、半田を介して前記接触端子部に接続できる平行設置用接続面としたことを特徴とする。
【００１０】
このように構成することにより、筒部が接続用突部により支持され、ピン型端子単体でもプリント配線基板に取り付けることができる。また、従来の如く、ターミナル片を取り付ける必要がなく、取り付けの手間が省けるので作業効率が向上し、コストが削減でき、また、ターミナル片の分だけ小型化が可能となる。
【００１１】
請求項２の発明は、請求項１の構成に加え、筒部の接触ピン突出側とは反対側の端部に形成された接続用突部が、平行設置用接続面と直交し、前記筒部の端面と同一平面上にある直立設置用接続面を有し、該直立設置用接続面を前記筒部の端面とともに半田を介してプリント配線基板の接触端子部に接続できるようにしたことを特徴とする。
【００１２】
このように構成することにより、ピン型端子をプリント配線基板に対して直立させた状態に接続することができ、用途に合わせてピン型端子を筒部の長手方向がプリント配線基板と平行となる向きで設置するか、直立設置するかを選択することができる。
【００１３】
請求項３の発明は、請求項１又は２の構成に加え、筒部が、接続用突部の平行設置用接続面と対称となる位置に平面からなる吸着用面を有することを特徴とする。
【００１４】
このように構成することにより、プリント配線基板用ピン型端子を吸着して搬送することができ、プリント配線基板に対するプリント配線基板用ピン型端子取付けの自動化が容易となり、作業効率が向上する。
【００１５】
請求項４の発明は、導電性材からなる筒部と、該筒部内に収容されたスプリングと、前記筒部に摺動自在且つ導通した状態に支持され、前記スプリングにより付勢されて前記筒部の一端側より先端部を突出させた接触ピンと、前記筒部の外周に、筒部の長手方向に並べて配置され、筒部の長手方向と交差する同一の方向に突出した複数の接続用突部を備え、該接続用突部の突出側端面を、半田を介して前記接触端子部に接続できる平行設置用接続面としてなるプリント配線基板用ピン型端子を、合成樹脂材よりなるコネクタハウジングに、前記平行設置用接続面が下方に露出した状態に並べて収容し、該コネクタハウジングの一面より前記接触ピンを突出させたことを特徴とする。
【００１６】
このように構成することにより、従来の如き、コネクタハウジングをプリント配線基板に取り付ける為の固定用端子片を設ける必要がなく、部品点数を減ずることができ、また、コネクタ全体の小型化が可能となる。更には、複数のピン型端子を一体として扱うことができ作業効率が向上する。
【００１７】
請求項５の発明は、請求項４の構成に加え、コネクタハウジングが、上面に吸着用面を備えることを特徴とする。
【００１８】
このように構成することにより、コネクタを吸引して搬送することができ、自動化が容易となり、コネクタをプリント配線基板に取り付ける為の作業効率が向上する。
【００１９】
【発明の実施の形態】
次に、本発明の実施形態を図について説明する。尚、上述した従来例と同一の構成には同一符号を付して説明を省略する。
【００２０】
図１は本願発明に係るプリント配線基板用ピン型端子の使用状態の一例を示し、符号２０はプリント配線基板用ピン型端子、２１はプリント配線基板である。
【００２１】
このプリント配線基板用ピン型端子２０は、プリント配線基板２１に対し電気的且つ機械的に接続され、プリント配線基板用ピン型端子２０の接触ピンにバッテリーパック等、相手側電気機器の電極部９を押し付けることによってバッテリーパック等の相手側電気機器とプリント配線基板の電気回路とを電気的に接続させるようになっている。
【００２２】
プリント配線基板用ピン型端子２０は、図１１に示す従来のピン型端子と同様に、銅合金等の導電性材からなる筒部３と、筒部３内に収容されるスプリング４と、筒部３に摺動自在且つ導通した状態に支持され、スプリング４により付勢されて筒部３の一端より突出されたる接触ピン５とを備えて構成され、図１０及び図１１中のターミナル片に代えて、筒部３をプリント配線基板２１の接触端子部２１ａに電気的に接続させる接続部２２を備えている。
【００２３】
筒部３は、銅合金等の導電性材を加工して一方の端部が開口した有底筒状に形成され、開口部直径は筒部内径より小さく形成されている。
【００２４】
接触ピン５は、先端が半球状に形成された棒状のピン本体と連続して配置され、筒部の内径と略同径の抜け止め部５ａを有し、該抜け止め部５ａのピン本体側端部が筒部３の開口周縁に当接されることにより、接触ピン５が筒部より抜け止めされるようになっている。また、抜け止め部５ａのピン本体とは反対側の端面は、傾斜した形状をなしており、該端面をスプリング４により押圧することで接触ピン５が突出方向及び半径方向に付勢され、抜け止め部５ａの外周面が筒部内側面に押し当てられ導通状態を得ることができるようになっている。
【００２５】
接続部２２は、筒部３の外周に、筒部の長手方向に並べて配置され、且つ筒部の長手方向と交差する同一の方向に突出した複数の接続用突部２３ａ，２３ｂを一体に備えている。
【００２６】
接続用突部２３ａ，２３ｂの突出側端面は、プリント配線基板２１の接触端子部２１ａに対して半田を介して接続される平行設置用接続面２４となっており、プリント配線基板用ピン型端子２０を筒部３の長手方向がプリント配線基板２１に対して平行となる向きに設置できるようになっている。
【００２７】
また、筒部３の接触ピン突出側とは反対側の端部に形成された接続用突部２３ｂの筒部長手方向端面は、筒部３の端面と同一平面をなし、その面が前記筒部の端面とともに直立設置用接続面２５を構成するようになっている。
【００２８】
また、筒部３の外周には、接続用突部と反対側の位置に吸着用の平面を有する吸着部２６を備えている。
【００２９】
このプリント配線基板用ピン型端子２０の取り付けは、プリント配線基板用ピン型端子２０を、平行設置用接触面２４を接触端子部２１ａに対向させた状態で、クリーム半田を介して、プリント配線基板の接触端子部２１ａ上に載置させ、これをリフロー炉等により適温で加熱することにより行う。
【００３０】
このようにして平行設置用接続面は、半田を介して接触端子部２１ａに固着されるので、プリント配線基板用ピン型端子２０は、プリント配線基板２１に対して、電気的に接続されるとともに、両接続用突部２３ａ，２３ｂによって支持されて安定した状態に固定される。
【００３１】
また、このプリント配線基板用ピン型端子は、直立設置用接続面２５を接続部とすることによって、図４に示すように、筒部の長手方向がプリント配線基板に対し直立した状態で、半田を介してプリント配線基板２７の接触端子部２７ａに接続できるようになっている。
【００３２】
尚、上述の実施例では、接続用突部２３ａ，２３ｂを２箇所に設けた例について説明したが、筒部の長さ等の諸条件に合わせて、２箇所以上設けてもよい。
【００３３】
また、上述の実施例では、接続用突部２３ａ，２３ｂの突出方向の長さ、即ち突出量を同じくして、接触ピン５がプリント配線基板２１に対して平行な方向に摺動する例について説明したが、接続用突部２３ａ，２３ｂの突出方向の長さを違えさせることによって、接触ピン５がプリント配線基板２１に対して角度を有する方向、即ち斜め方向に摺動するようにしても良く、その場合には、平行設置用接続面２４がプリント配線基板２１に対して平行となるように、筒部３の長手方向に対して角度を持たせるようにしてもよい。
【００３４】
次に、上述したプリント配線基板用ピン型端子２０を使用した、押し当て式コネクタ３０を図５〜図９について説明する。
【００３５】
この押し当て式コネクタ３０は、前面に突出した接触ピン５にバッテリーパック等相手側の電極部９を押し当てることによってバッテリーパック等の相手側電気機器とプリント配線基板の回路とを電気的に接続させるようになっている。
【００３６】
押し当て式コネクタ３０は、複数のプリント配線基板用ピン型端子２０，２０と、そのプリント配線基板用ピン型端子２０，２０を並列に収容するコネクタハウジング３１とを備えて構成されている。
【００３７】
コネクタハウジング３１は、合成樹脂材によって直方体状に形成され、背面及び下面が開口され、プリント配線基板用ピン型端子２０が収容される収容溝部３２，３２を備えている。
【００３８】
収容溝部３２の上下方向深さＨは、プリント配線基板用ピン型端子２０の平行設置用接続面２３が下方に露出する深さに形成され、プリント配線基板用ピン型端子２０を平行設置した際の高さより稍浅くなっている。
【００３９】
このコネクタハウジング３１の前面には、収容溝部３２と連通した突出孔３３が形成され、該突出孔３３より接触ピン５の先端部分が突出するようになっている。
【００４０】
また、コネクタハウジング３１の下部には、設置用凹部３４が形成されており、プリント配線基板２１の縁部に押し当て式コネクタ３０を好適に設置できるようになっており、コネクタハウジング３１の上面は平面状の吸着面３５となっており、エアー吸着により搬送可能となっている。
【００４１】
この押し当て式コネクタ３０は、図８に示すように、コネクタハウジングの収容溝部３２に、接触ピン５の先端を前面より突出させた状態でプリント配線基板用ピン型端子２０を収容し、その状態で、図中のハッチング部分を熱カシメすることによって、プリント配線基板用ピン型端子２０をコネクタハウジング３１に固定している。
【００４２】
従って、コネクタハウジング３１に収容されたプリント配線基板用ピン型端子２０の平行設置用接続面２３を半田を介してプリント配線基板の接触端子部２１ａに接続することにより、この押し当て式コネクタ３０はプリント配線基板２１に対し安定した状態で固定されることとなる。
【００４３】
【発明の効果】
上述のように、本発明に係るプリント配線基板用ピン型端子は、複数の接続用突部によって安定した状態で支持されるので、単体でプリント配線基板と平行な向きに設置することができ、コネクタハウジングやその他の部品を省略し、部品点数を減らすことができるので、コストの削減を図ることができる。また、一つの部品で、プリント配線基板に対して平行若しくは直立する向きのどちらでも対応できる。
【００４４】
また、本発明に係る押し当て式コネクタは、従来の固定用端子片の様な固定手段を用いなくてもプリント配線基板に対して安定した状態に固定することができ、また、複数のプリント配線基板用ピン型端子を一度に扱うことができるので効率がよい。更に、部品点数が少ないので安価に製造することができ、従来の固定用端子片及びターミナル片のスペースを省略することができるのでコネクタ全体の小型化ができる。
【図面の簡単な説明】
【図１】本発明に係るプリント配線基板用ピン型端子の第一の使用状態を示す側面図である。
【図２】図１中のプリント配線基板用ピン型端子を示す縦断面図である。
【図３】同上の平面図である。
【図４】同上のプリント配線基板用ピン型端子の第２の使用状態を示す側面図である。
【図５】本発明に係る押し当て式コネクタを示す側面図である。
【図６】同上の平面図である。
【図７】同上の正面図である。
【図８】同上の底面図である。
【図９】同上のＡ−Ａ線断面図である。
【図１０】従来のピン型端子を用いた押し当て式コネクタを示す平面図である。
【図１１】同上のＢ−Ｂ線断面図である。
【符号の説明】
２０　プリント配線基板用ピン型端子
２１　プリント配線基板
２１ａ　接触端子部
２２　接続部
２３ａ，２３ｂ　接続用突部
２４　平行設置用接続面
２５　直立設置用接続面
２６　吸着部
２７　プリント配線基板
２７ａ　接触端子部
３０　押し当て式コネクタ
３１　コネクタハウジング
３２　収容溝部
３３　突出孔
３４　設置用凹部
３５　吸着面
【図１】
2004055243.tif 000003
【図２】
2004055243.tif 000004
【図３】
2004055243.tif 000005
【図４】
2004055243.tif 000006
【図５】
2004055243.tif 000007
【図６】
2004055243.tif 000008
【図７】
2004055243.tif 000009
【図８】
2004055243.tif 000010
【図９】
2004055243.tif 000011
【図１０】
2004055243.tif 000012
【図１１】
2004055243.tif 000013